(57)【要約】【課題】力を要さずに簡便にねじ釘金具を柱等にねじ込む。【解決手段】ねじ釘金具取付補助具１は主として、主把持部２と副把持部３とから構成され、上方の回動部４を介して連結されている。主把持部２には主金具固定部２ｂが設けられ、副把持部３には副金具固定部３ｂが設けられている。主、副金具固定部２ｂ、３ｂの内部を中空とされ、これらの開口同士は向き合っており、主、副金具固定部２ｂ、３ｂにはロック部材５が取り付けられている。主金具固定部２ｂ内に横方向に複数の仕切板部２ｇが設けられており、折釘Ｋの折曲部Ｋ２を収納できるようにされている。使用に際しては、主把持部２と副把持部３とを回動部４を支点として開いた状態とし、折釘Ｋの折曲部Ｋ２を空隙部２ｈに挿し込んで、主把持部２と副把持部３とを閉止してロックする。この状態で、回転させながら折釘Ｋのねじ部Ｋ１を柱等にねじ込む。【選択図】図１
2018094680.tif 000002
【特許請求の範囲】
【請求項１】
主把持部及び副把持部を回動部を介して回動自在に連結し、閉止状態をロック可能なねじ釘金具取付補助具であって、
前記主把持部には前後に膨出した主金具固定部が設けられ、
前記副把持部には前後に膨出した副金具固定部が設けられ、
前記主金具固定部及び前記副金具固定部は中空状とされており、前記主、副金具固定部内にねじ釘金具の非ねじ部を収納可能としたことを特徴とするねじ釘金具取付補助具。
【請求項２】
前記主把持部と前記副把持部の閉止状態はロック部材によりロックされることを特徴とする請求項１に記載のねじ釘金具取付補助具。
【請求項３】
前記主金具固定部内に前記ねじ釘金具の折曲部を収納する仕切板部が設けられていることを特徴とする請求項１又は２に記載のねじ釘金具取付補助具。
【請求項４】
前記仕切板部によって、複数段の空隙部が設けられており、前記ねじ釘金具の折曲部の径の大きさに応じて、前記空隙部の開口個所の大きさが異なることを特徴とする請求項３に記載のねじ釘金具取付補助具。
【請求項５】
前記主把持部及び前記副端部の横方向の外側に各々、把持板部を設けたことを特徴とする請求項１〜４の何れか１項に記載のねじ釘金具取付補助具。
【請求項６】
前記把持板部は、前記釘金具のねじ部に対して左右非対称であることを特徴とする請求項５に記載のねじ釘金具取付補助具。
【発明の詳細な説明】
【技術分野】
【０００１】
本発明は、柱等に折釘、ヒートンねじ等のねじ釘金具を取り付け、取り外しを行う際に使用するねじ釘金具取付補助具に関するものである。
【背景技術】
【０００２】
先端にねじ部が設けられた折釘、ヒートンねじ等のねじ釘金具は、柱等にねじ込んで使用することが多い。これらのねじ釘金具を柱等にねじ込む場合に、通常ではねじ部以外の部分を指で把んで回転させて行うが、指が痛くなったりして、十分に強くねじ込むことが難しい。
【０００３】
このねじ込みを容易とする道具として、特許文献１にヒートンねじ専用のドライバが開示されている。
【先行技術文献】
【特許文献】
【０００４】
【特許文献１】実開平４−９７６６１号公報
【発明の概要】
【発明が解決しようとする課題】
【０００５】
しかし、特許文献１のヒートンねじ用のドライバは、ねじ込むヒートンねじのねじ部に対して、力を加えるべきドライバの径が十分に大きくなく、得られる回転トルクが小さい。従って、固い木材等にヒートンねじをねじ込む際には、力を十分に加えることができず、なかなかねじ込むことができないという問題がある。
【０００６】
更に、特許文献１のドライバは、ドライバ自体が長いため、奥行のない狭い場所では、ヒートンねじを取り付けできないという問題もある。
【０００７】
また、特許文献１のドライバやペンチ等の工具を用いて、折釘、ヒートンねじ等のねじ釘金具をねじ込む際に、工具からねじ釘金具が外れて落下してしまうという問題もある。
【０００８】
本発明の目的は、上述の問題点を解消し、奥行のない狭い場所であっても、大きな力を要さずに、簡便にねじ釘金具をねじ込み又は取り外すことが可能なねじ釘金具取付補助具を提供することにある。
【課題を解決するための手段】
【０００９】
上記目的を達成するための本発明に係るねじ釘金具取付補助具は、主把持部及び副把持部を回動部を介して回動自在に連結し、閉止状態をロック可能なねじ釘金具取付補助具であって、前記主把持部には前後に膨出した主金具固定部が設けられ、前記副把持部には前後に膨出した副金具固定部が設けられ、前記主金具固定部及び前記副金具固定部は中空状とされており、前記主、副金具固定部内にねじ釘金具の非ねじ部を収納可能としたことを特徴とする。
【発明の効果】
【００１０】
本発明に係るねじ釘金具取付補助具によれば、ねじ釘金具を装着後に、指で一対の把持板部を持ってねじ釘金具のねじ部を中心に回転させることにより、柱等に対して大きな力を要さずに容易にねじ釘金具を取り付け、取り外しを行うことができる。また、奥行のない狭い場所であっても、ねじ釘金具を取り付け、取り外しを行うことができ、更に様々の大きさのねじ釘金具に対して、ぐらつくことなく装着することができ、作業を行うことが可能である。
【図面の簡単な説明】
【００１１】
【図１】ねじ釘金具を取り付けた状態の実施例１の斜視図である。
【図２】正面図である。
【図３】底面図である。
【図４】ロックを解除して開いた状態の正面図である。
【図５】Ａ−Ａに沿った縦断面図である。
【図６】Ｂ−Ｂに沿った横断面図である。
【図７】ねじ釘金具を取り付けた状態の実施例２の斜視図である。
【図８】正面図である。
【図９】底面図である。
【図１０】ロックを解除して開いた状態の正面図である。
【図１１】ねじ釘金具を取り付けた状態の縦断面図である。
【図１２】ねじ釘金具を取り付けた状態の実施例３の斜視図である。
【図１３】正面図である。
【図１４】ロックを解除して開いた状態の正面図である。
【図１５】Ｃ−Ｃに沿った縦断面図である。
【図１６】Ｄ−Ｄに沿った横断面図である。
【図１７】小さいヒートンねじを装着した際のＤ−Ｄに沿った横断面図である。
【発明を実施するための形態】
【００１２】
本発明を図示の実施例に基づいて詳細に説明する。
【実施例１】
【００１３】
図１は実施例１のねじ釘金具取付補助具１に、Ｌ字状のねじ釘金具を取り付けた状態の斜視図である。図２はねじ釘金具取付補助具１の正面図、図３は底面図である。図４はロックを解除して開いた状態の正面図、図５は図１のねじ釘金具の取り付けていない状態のＡ−Ａに沿った縦断面図、図６は図１のＢ−Ｂ線に沿った横断面図である。
【００１４】
取付補助具１の大きさは、横５ｃｍ、高さ３ｃｍ、厚み１ｃｍ程度であり、硬質の合成樹脂から構成される。合成樹脂以外にも、金属等の適宜の材料を用いて製造してもよい。
【００１５】
取付補助具１は略偏平形状とされ、主として、右側の主把持部２と、この主把持部２よりも横幅が半分程度に短い左側の副把持部３とから構成されている。そして、これらの主把持部２と副把持部３とは、上方の回動部４を介して連結されている。
【００１６】
主把持部２の横方向の外側の端部は半円形で薄板状の主把持板部２ａとされ、副把持部３の横方向の外側の端部は同様に半円形で薄板状の副把持板部３ａとされている。なお、実施例１では、主把持板部２ａ及び副把持板部３ａは半円形状とされているが、この形状は適宜の形状とすることができる。
【００１７】
主把持部２の横方向の内側の上部角部には、回動部４を構成する軸孔を有する第１の軸孔部４ａが設けられている。また、副把持部３の横方向の内側の端部の上部角部には、第１の軸孔部４ａを挟設する一対の挟持片部４ｂが設けられ、これらの挟持片部４ｂには第１の軸孔部４ａの孔部と連通する第２の軸孔部４ｃの孔部が設けられている。そして、重なり合った第１の軸孔部４ａと第２の軸孔部４ｃの孔部に、軸部４ｄを挿通することにより、主把持部２と副把持部３とは軸部４ｄを中心にして、図４に示すように左右に回動自在とされている。
【００１８】
なお回動部４においては、挟持片部４ｂに軸孔部４ｃを設けずに、挟持片部４ｂの内側に突部を突出して、これらの突部を第１の軸孔部４ａの孔部内に挿入して、主把持部２、副把持部３を回動自在の構造とすることもできる。
【００１９】
主把持部２には、主把持部２の第１の軸孔部４ａの下方から、主把持部２の略中央までを横幅として前後に膨出し、主金具固定部２ｂが設けられている。また、この主金具固定部２ｂの内部は中空とされ、副把持部３側に向けて開口されている。
【００２０】
同様に副把持部３の挟持片部４ｂの下方から、副把持部３の略中央までを横幅として前後に膨出され、主金具固定部２ｂに嵌合する副金具固定部３ｂが設けられている。副金具固定部３ｂは内部を中空とされ、主金具固定部２ｂに向けて開口されており、この開口部には、主金具固定部２ｂの外壁内に嵌合する一対の板状の嵌合片部３ｃが平行して設けられている。
【００２１】
主金具固定部２ｂの開口部近傍の表面側の上下方向に沿って凸条２ｃが形成され、この凸条２ｃの外側には上下方向に沿った溝部２ｄが設けられている。なお、凸条２ｃの下端の副金具固定部３ｂ側は切欠されており、この切欠部に後述する副金具固定部３ｂのロック突部３ｄが嵌合するようにされている。
【００２２】
凸条２ｃを覆うようにしてロック部材５が取り付けられ、凸条２ｃの溝部２ｄにロック部材５の一方の側部の引掛部５ａが係合し上下動自在とされている。また、ロック部材５の表面には、滑り防止のための凹凸部５ｂが形成されている。
【００２３】
ロック部材５の上端には係止部５ｃが設けられており、ロック部材５の下降時に係止部５ｃが凸条２ｃの上端に係止することにより、ロック部材５は下方に脱落しないようにされている。
【００２４】
副金具固定部３ｂの開口部近傍の正面側の下部には、凸条２ｃの切欠部に嵌合可能なロック突部３ｄが設けられており、このロック突部３ｄの側部にはロック部材５の他方の側部の引掛部５ｄが係合する溝部３ｅが設けられている。
【００２５】
図４に示す開いた状態の副金具固定部３ｂが、主金具固定部２ｂ側に回動部４により相対的に回動して、図２に示すように主金具固定部２ｂと副金具固定部３ｂとが閉止すると、凸条２ｃの切欠部にロック突部３ｄが嵌合して、溝部２ｄと溝部３ｅが連通する。これにより、ロック部材５が凸条２ｃに沿って下降可能となり、ロック部材５を下降してロック突部３ｄの溝部３ｅにも引掛部５ｄを係合することにより、主金具固定部２ｂと副金具固定部３ｂとが結合されてロックされるようになっている。
【００２６】
主金具固定部２ｂは側壁部２ｅ、底板部２ｆに囲まれ、主金具固定部２ｂ内に横方向に複数の仕切板部２ｇが設けられている。主金具固定部２ｂ内は水平方向の仕切板部２ｇによって、ねじ部Ｋ１を有する折釘Ｋの折曲部Ｋ２を収納するために、複数段の空隙部２ｈに仕切られている。
【００２７】
上方の空隙部２ｈから下方の空隙部２ｈにゆくにつれて、空隙部２ｈの開口個所の大きさは大きくなっている。折釘Ｋの折曲部Ｋ２の径の大きさに応じて、適宜の空隙部２ｈを選択して折曲部Ｋ２を差し込むことで、取付補助具１をねじ込む際に折曲部Ｋ２のぐらつきを防止する。
【００２８】
また、副金具固定部３ｂは折釘Ｋの直棒部Ｋ３を収納する上下方向の収納部３ｆを有している。主金具固定部２ｂの底板部２ｆには副金具固定部３ｂに向けて、突片２ｉが突き出され、折釘Ｋの直棒部Ｋ３を副金具固定部３ｂ側に押さえ付けるようになっている。
【００２９】
このねじ釘金具取付補助具１の使用に際しては、折釘Ｋをねじ釘金具取付補助具１に取り付ける。先ず、図２の状態からロック部材５を上方に移動して、ロック部材５のロック突部３ｄに対するロックを解除して、図４に示すように、主把持部２と副把持部３とを回動部４を支点として左右に開いた状態にする。
【００３０】
この状態で、折釘Ｋの折曲部Ｋ２を適合する何れかの空隙部２ｈに挿し込むと共に、直棒部Ｋ３を収納部３ｆに沿って挿入する。この際に、直棒部Ｋ３のフランジ部Ｋ４によって挿し込む長さが制限され、折釘Ｋの挿し込むべき空隙部２ｈは直棒部Ｋ３の長さにより定まる。
【００３１】
次いで、主把持部２及び副把持部３を閉止状態にすると、副金具固定部３ｂの挟持片部４ｂが主金具固定部２ｂの内壁内に挿入され、主、副金具固定部２ｂ、３ｂ同士が合体するので、ロック部材５を下方に移動して、ロック部材５をロック突部３ｄに係止してロック状態にする。
【００３２】
このようにねじ釘金具取付補助具１に折釘Ｋを挿入した後に、ロック状態とすることで、図１、図６に示すように折釘Ｋの非ねじ部は中空状の主、副金具固定部２ｂ、３ｂ内に収納される。そして、折釘Ｋは収納部３ｆと、仕切板部２ｇと、突片２ｉとによって、主、副金具固定部２ｂ、３ｂ内で移動、回動することなく、また、ぐらつくこともなく保持される。
【００３３】
このようにして折釘Ｋを装着したねじ釘金具取付補助具１を、主、副把持板部２ａ、３ａを指で把持して、回転させながら折釘Ｋのねじ部を柱等にねじ込んでゆくと、モーメント力を利用した軽い力でねじ込みを行うことができる。ねじ込みが完了すると、ロック部材５を移動してロック状態を解除し、主把持部２、副把持部３を開いて、固定した折釘Ｋからねじ釘金具取付補助具１を取り外す。
【００３４】
このねじ釘金具取付補助具１を使用して、柱等から折釘Ｋを抜く場合には、ねじ込まれている折釘Ｋに対して上述の手順によりねじ釘金具取付補助具１を取り付けた後に、主、副把持板部２ａ、３ａをねじ込みとは逆方向に指で操作して折釘Ｋを抜き出せばよい。
【実施例２】
【００３５】
実施例２は実施例１の折釘Ｋと同様のねじ釘金具に適用するねじ釘金具取付補助具である。図７は実施例２のねじ釘金具取付補助具１１の斜視図、図８は正面図、図９は底面図、図１０はロックを解除して開いた状態の斜視図、図１１はねじ釘金具を取り付けた状態の断面図である。なお、実施例１と同一の部分は同一の符号を付している。
【００３６】
ねじ釘金具取付補助具１１は右側の主把持部１２と左側の副把持部１３から構成され、これらはほぼ左右対称形とされ、主把持部１２、副把持部１３は実施例１と同様に回動部４を介して連結されており、この回動部４によって図１０に示すように開閉することが可能とされている。
【００３７】
主把持部１２、副把持部１３にはそれぞれ主金具固定部１２ｂ、副金具固定部１３ｂが左右対称に設けられ、これらの主、副金具固定部１２ｂ、１３ｂは、実施例１と同様に、それぞれ主把持部１２、副把持部１３の前後方向に対して膨出されている。
【００３８】
主、副金具固定部１２ｂ、１３ｂの内部は中空とされ、内部にはそれぞれ水平の仕切板部１２ｇ、１３ｇが形成されている。また、折釘Ｋの直棒部Ｋ３を収納する収納部は主、副金具固定部１２ｂ、１３ｂの中間に設けられている。
【００３９】
このねじ釘金具取付補助具１１の使い方は、実施例１と同様であるが、折釘Ｋの折曲部Ｋ２は主、副金具固定部１２ｂ、１３ｂの何れ側に挿入してもよい。
【００４０】
また、図１１では仕切板部１２ｇ、１３ｇの高さが左右同じであるが、前述の折釘Ｋの折曲部Ｋ２の径の大きさに応じて仕切板部１２ｇ、１３ｇを適宜に調整するようにしてもよい。例えば、仕切板部１２ｇは折曲部Ｋ２の径が太い折釘Ｋに対応するように空隙部１２ｈを設け、仕切板部１３ｇは折曲部Ｋ２の径が細い折釘Ｋに対応するように空隙部１３ｈを設けることもできる。
【００４１】
なお、実施例２の取付補助具１１及び後述する実施例３の取付補助具２１は、主、副把持板部１２ａ、１３ａとが、取り付けたねじ釘金具のねじ部に対して左右対称であるため、実施例１の取付補助具１の非対称の主、副把持板部２ａ、３ａに比べて、回転させ易いという効果を奏することになる。
【実施例３】
【００４２】
実施例３は円形の引掛部を有するヒートンねじ用に適用するねじ釘金具取付補助具であり、図１２はねじ釘金具取付補助具２１の斜視図、図１３は正面図、図１４はロックを解除して開いた状態の正面図、図１５はねじ釘金具を取り付けた状態のＣ−Ｃに沿った縦断面図、図１６はＤ−Ｄに沿った横断面図である。また、実施例１、２と同一の部分は同一の符号を示している。
【００４３】
ヒートンねじＨは図１６に示すように、ねじ部Ｈ１の上部に円環状の環状部Ｈ２を有し、環状部Ｈ２をねじ釘金具取付補助具２１により把持する。なお、Ｈ３は直棒部、Ｈ４はフランジ部である。
【００４４】
ねじ釘金具取付補助具２１はほぼ対称形の右側の主把持部２２と左側の副把持部２３から構成され、これらの主、副把持部２２、２３は回動部４を介して連結されている。
【００４５】
主、副把持部２２、２３には、それぞれ半円形で合わせると円形となる主、副金具固定部２２ｂ、２３ｂが前後方向に膨出されており、合わせた状態の内部は中空のコイン状とされている。これらの合わせ目にはロック部材５が実施例１のように取り付けられており、主、副把持部２２、２３をロック可能とされている。
【００４６】
また、主、副把持部２２、２３をロックした際に主、副金具固定部２２ｂ、２３ｂ内に形成される空隙部２４は、上方が半円状であり、下方がＶ字状をしている。このようにＶ字状にすることで、ヒートンねじＨの環状部Ｈ２が接して図１７に示すような小さいヒートンねじＨを装着した場合であっても、ヒートンねじＨが左右にぐらつくことなく保持することができる。
【００４７】
このねじ釘金具取付補助具２１を使用するには、図１４に示すように主、副把持部２２、２３を開いた状態でヒートンねじＨを装着し、図１５、１６に示すように閉止し、ロック部材５によりロックする。環状部Ｈ２の大きさが異なっていても、主、副金具固定部２２ｂ、２３ｂ内は中空のコイン状とされ、フランジ部Ｈ４で挿入が規制されている、環状部Ｈ２はぐらつくことがない。
【００４８】
これにより、ねじ釘金具取付補助具２１を把持して、ヒートンねじＨを実施例１と同様に柱等にねじ込めばよい。
【００４９】
このようにねじ釘金具取付補助具１、１１、２１を用いることで、折釘Ｋ又はヒートンねじＨであるねじ釘金具を装着後に、指で主、副把持板部を持ってねじ釘金具のねじ部を中心に回転させることにより、柱等に対して大きな力を要さずに容易にねじ釘金具を取り付け、取り外しを行うことができる。
【００５０】
また、奥行のない狭い場所であっても、ねじ釘金具を取り付け、取り外しを行うことができ、更に様々の大きさのねじ釘金具に対して、ぐらつくことなくねじ釘金具取付補助具１、１１、２１内に装着することができ、作業を行うことが可能である。
【符号の説明】
【００５１】
１、１１、２１  ねじ釘金具取付補助具
２、１２、２２  主把持部
３、１３、２３  副把持部
２ａ、１２ａ、２２ａ  主把持板部
３ａ、１３ａ、２３ａ  副把持板部
２ｂ、１２ｂ、２２ｂ  主金具固定部
３ｂ、１３ｂ、２３ｂ  副金具固定部
２ｇ、１２ｇ、１３ｇ  仕切板部
２ｈ、１２ｈ、１３ｈ、２４  空隙部
４  回動部
５  ロック部材
Ｋ  折釘
Ｈ  ヒートンねじ
【図１】
2018094680.tif 000003
【図２】
2018094680.tif 000004
【図３】
2018094680.tif 000005
【図４】
2018094680.tif 000006
【図５】
2018094680.tif 000007
【図６】
2018094680.tif 000008
【図７】
2018094680.tif 000009
【図８】
2018094680.tif 000010
【図９】
2018094680.tif 000011
【図１０】
2018094680.tif 000012
【図１１】
2018094680.tif 000013
【図１２】
2018094680.tif 000014
【図１３】
2018094680.tif 000015
【図１４】
2018094680.tif 000016
【図１５】
2018094680.tif 000017
【図１６】
2018094680.tif 000018
【図１７】
2018094680.tif 000019